(57)【要約】【課題】循環送風用のファン装置の振動が、ヒートポンプ機構に伝達されたり、騒音として外部に洩れないようにする。【解決手段】循環送風用の循環路と、この循環路の途中に蒸発器及び凝縮器の熱交換ユニット２８を配した圧縮機等からなるヒートポンプ機構と、前記熱交換ユニット２８と接続され前記循環路内の空気を循環させるファン装置３４とを備え、前記ファン装置３４と前記熱交換ユニット２８との接続手段として、ファン装置側３４と熱交換ユニット２８側から夫々対向位置に設けられた一方の径小のボス４３と、他方の径大な中空筒部４５と、これらの嵌合部分に、外周面に凸部５０を有する筒状の防振部材４６を介装した構成とする。【選択図】図１
2008000194.tif 000002
【特許請求の範囲】
【請求項１】
本体内に、洗濯物を収容する回転槽を内装した水槽と、この水槽に連通して設けられた循環路と、この循環路の途中に蒸発器及び凝縮器の熱交換ユニットを配した圧縮機等からなるヒートポンプ機構と、前記熱交換ユニットと接続され前記循環路内の空気を循環させるファン装置とを備え、
前記ファン装置と前記熱交換ユニットとの接続手段は、ファン装置側と熱交換ユニット側から夫々対向位置に設けられた一方の径小のボスと、他方の径大な中空筒部と、これらの嵌合部分に外周面に凸部を有する筒状の防振部材を介装する構成としたことを特徴とする洗濯乾燥機。
【請求項２】
防振部材には、内部に剛性で筒状のカラーが挿入され、このカラーを通して取付ネジをボスに締結する構成としたことを特徴とする請求項１記載の洗濯乾燥機。
【請求項３】
防振部材には、ボスが挿入される側の筒状端部に、外方に突出する鍔部を形成したことを特徴とする請求項１又は２記載の洗濯乾燥機。
【発明の詳細な説明】
【技術分野】
【０００１】
本発明は、乾燥運転時にヒートポンプ機構を利用して空気を加熱するとともに、これを温風化して循環路内を循環送風するファン装置を備えた洗濯乾燥機に関する。
【背景技術】
【０００２】
従来、この種洗濯乾燥機として、例えばドラム式の洗濯乾燥機では、貯水可能な水槽内に衣類等を収容する回転可能なドラムを設け、洗い，すすぎ，脱水等の洗濯行程、及び乾燥行程を自動的に運転、或いは選択的に運転可能としている。そして、特に乾燥行程において乾燥に供する熱エネルギーの効率化を図るべく、空気を所定温度に加熱した温風をドラム内に循環供給可能としている。そのために、水槽の前後の温風の出入口に連通接続された循環路を形成するとともに、その途中部位に温風化のための加熱手段や送風手段を設け、以って空気（温風）を機外に排出することなく閉ループの循環路にて乾燥運転が行なわれ、洗濯乾燥機を設置した居住環境に対し、排気による温度や湿度の影響を与えることなく快適に実行できるようにしている。
【０００３】
しかるに近年、加熱手段として従来の電気ヒータに代えてヒートポンプ機構を採用し、更に効率のよい乾燥作用を得るべく提案がなされている。これは周知のように、冷媒を圧縮機により凝縮器、キャピラリチューブ、及び蒸発器の順に循環させる冷凍サイクルからなるもので、これを循環路の途中部位に循環する空気と熱交換する蒸発器や凝縮器を配設するとともに、空気を循環するためのファン装置を介在した構成としている（例えば、特許文献１参照）。
【０００４】
そして、一般的に重量大のヒートポンプ機構は洗濯乾燥機本体の底部に取付固定され、これに接続固定するようにファン装置が設けられている。従って、乾燥運転時におけるファン装置駆動による振動は、ヒートポンプ機構にも伝達され、延いては本体底部にも及び振動や騒音の悪化要因となる。そこで、この種ファン装置の取付手段として、通常ゴムなどの防振部材を介してネジ止めする構成としている（例えば、特許文献２及び３参照）。
【０００５】
図１０は、上記特許文献２に基づく従来構成を示すもので、ファン１はグロメット１ａ及びカラー１ｂを通してネジ１ｃをファンブラケット２にネジ込むことで取付固定している。この結果、ファン１が回転駆動中に発生する振動は、グロメット１ａで減衰できるようにし、一方カラー１ｂはグロメット１ａの変形量を一定量に抑えることができるというものである。
【特許文献１】特開平７−１７８２８９号公報
【特許文献２】実開平５−５９０００号公報
【特許文献３】特開平６−７４４９１号公報
【発明の開示】
【発明が解決しようとする課題】
【０００６】
しかしながら、上記構成によればファン１の自重によりカラー１ｂとの間でグロメット１ａを局部的に圧縮した状態が続き（図中、圧縮部Ｐで示す部分）、やがて圧縮部Ｐ近傍は塑性変形した如く弾力性が失われ、所謂動バネ硬化により所期の防振効果が得られなくなる。従って、ファン１からの振動はグロメット１ａの硬化部位、カラー１ｂ、及びネジ１ｃを経てファンブラケット２側に伝達されることになり、延いては機外に振動及び騒音が発生することになる。
【０００７】
本発明は、上記問題点を解決するために、ファン装置の重量負荷による動バネ硬化が生ずることのない防振部材を介装し、長期防振効果が期待できて騒音問題も解消できる洗濯乾燥機を提供することを目的とする。
【課題を解決するための手段】
【０００８】
上記目的を達成するために、本発明の洗濯乾燥機は、本体内に、洗濯物を収容する回転槽を内装した水槽と、この水槽に連通して設けられた循環路と、この循環路の途中に蒸発器及び凝縮器の熱交換ユニットを配した圧縮機等からなるヒートポンプ機構と、前記熱交換ユニットと接続され前記循環路内の空気を循環させるファン装置とを備え、前記ファン装置と前記熱交換ユニットとの接続手段は、ファン装置側と熱交換ユニット側から夫々対向位置に設けられた一方の径小のボスと、他方の径大な中空筒部と、これらの嵌合部分に外周面に凸部を有する筒状の防振部材を介装する構成としたことを特徴とするものである。
【発明の効果】
【０００９】
上記手段によれば、防振部材によりファン装置からの振動が熱交換ユニット側に伝達されるのを防止できるとともに、ファン装置の自重は防振部材の凸部にて受け止められ、動バネ硬化が生じても当該突部の一部のみに止まり、防振部材は依然有効な振動減衰効果を長期に亘り発揮することができる洗濯乾燥機を提供できる。
【発明を実施するための最良の形態】
【００１０】
（第１の実施形態）
図１〜図６は、本発明の第１実施例をドラム式洗濯乾燥機に適用して示したもので、まず図２，３を参照して洗濯乾燥機の全体構成につき概略説明する。しかるに、図２は洗濯乾燥機の縦断側面図、図３は裏蓋を外した状態の斜視図である。特に、図２に示すように洗濯乾燥機の外殻を形成する本体１１は、その前面側に洗濯物投入口を開閉する扉１２を備え、底部には支持脚１３ａなどを有する台板１３を具備し、後面側に着脱可能とした裏蓋１４を備えた構成である。この本体１１内には、動的吸振系である複数のサスペンション２１により弾性支持された貯水可能な水槽１５が設けられ、該水槽１５内には回転槽たるドラム１６が傾斜した横軸回りに回転可能に設けられて、いずれも前記扉１２（洗濯物投入口）と対向して開口している。
【００１１】
上記ドラム１６は、周知のように周壁に多数の小孔１６ａを有し、また開口端部には動的吸振系である環状の液体バランサ１７を具備した構成としている。これに対し上記水槽１５は、その開口端部に被着された環状の水槽カバー１８を備え、前記ドラム１６のバランサ１７を有する前面部を覆う構成としている。そして、この水槽カバー１８の先端部と前記扉１２の背面及び洗濯物投入口との間には、柔軟性に富んだベローズ１９が水密に設けられ、水槽１５から外部への水の飛散等を防止するようにしている。尚、前記ドラム１６は、水槽１５の背面側に設けられたアウターロータ形のＤＣブラシレスモータ２０にてダイレクトに回転駆動される。
【００１２】
上記水槽１５外には、その前後部に設けられた吸込口２２ａと吹出口２４ａに夫々連通接続されてなる空気の循環路２９が形成されている。すなわち、まず前面側では前記水槽カバー９の一部を利用して、循環路２９を構成するうちの排気ダクト２２を一体的に形成している。この排気ダクト２２は、中空筒状に形成されるとともに、その上部位の内方側の二面に複数の吸込口２２ａを形成し、他端を下方に垂下した構成としている。一方、水槽１５の後面側には吹出口２４ａが形成され、これに給気ダクト２４が連通接続され、他端を下方に垂下した構成としている。尚、上記吹出口２４ａは、これと対向するドラム１６の後面に形成された通気口２５と連通し、ドラム１６内への空気（後述する温風）を供給可能としている。
【００１３】
このように、給，排気ダクト２４，２２は水槽１５外に形成され、その各垂下端は伸縮継手２６，２７を介して前記台板１３上に設置された熱交換ユニット２８（詳細は後述）と接続され、以って水槽１５を介した空気の循環路２９が構成されるようにしている。
しかるに、上記熱交換ユニット２８につき詳述すると、本体１１底部である前記台板１３には、重量大なるヒートポンプ機構３０が設置されている。このヒートポンプ機構３０は、周知のように図示しない圧縮機が駆動されることにより冷媒が、凝縮器３１、図示しないキャピラリチューブ（絞り）、及び蒸発器３２の順に循環する冷凍サイクルからなる構成にあって、特に乾燥運転時に駆動され凝縮器３１では空気を加熱し、また蒸発器３２では空気を冷却し空気中の水分を凝縮する所謂熱交換機能を発揮する。
【００１４】
しかして、この凝縮器３１及び蒸発器３２は、循環路２９を構成するうちの下部の熱交換ダクト３３内に配置され、該ダクト３３内を流れる空気との間で熱交換作用が行われる、所謂熱交換ユニット２８として構成される。従って、この熱交換ユニット２８を構成する熱交換ダクト３３は、その左右端が前記伸縮継手２６，２７に夫々接続されるのであるが、循環路２９内の空気を循環するためのファン装置３４を熱交換ユニット２８（熱交換ダクト３３）の図２中の右側に接続固定しており（詳細は後述）、従ってこのファン装置３４を介して上記伸縮継手２７に連通接続され、更には前記給気ダクト２４に連通接続された構成となる。
【００１５】
尚、図１中において水槽１５の底部に接続された排水ホース２３は、図示しない排水弁を介して機外に排水可能とし、また熱交換ダクト３３には前記蒸発器３２にて冷却凝縮した所謂除湿水を排水するための排水手段（図示せず）などを備え、その他、当然ながら本体１１内の上部には水槽１５内に給水するための給水弁（図示せず）などによる給水手段を設けている。
【００１６】
ここで、前記熱交換ユニット２８と循環送風用のファン装置３４との接続固定手段につき、特には図１、図４〜図６を参照して説明する。まず、ファン装置３４の構成につき概略述べると、そのうち図４は熱交換ユニット２８と接続固定されたファン装置３４の平面図を示し、また図５ではファンケース３５のケース蓋３５ｂ（図４参照）を取外した状態の正面図を示している。
【００１７】
しかるに、その図５では、渦巻状容器のケース本体３５ａ内に送風ファン３６を配した構成を図示しており、図示しないファンモータにて回転駆動され矢印Ａ方向に送風する。従って、図１に示す循環路２９内には矢印Ａ方向に流れる循環空気流が生成される。この送風ファン３６は、風路抵抗の大きい循環路２９内の送風であるため、静圧の大きいターボファンが特に好適するが、シロッコファンでも対応可能である。そして、このケース本体３５ａの外周囲には溝部３７が形成され、ケース蓋３５ｂで閉蓋するとき、図示しないパッキンが介在され水密構成としている。
【００１８】
また、ケース本体３５ａの外周壁にはボス状に突設した取付孔３８が、適宜間隔を置いて例えば計８箇所設けられ、これは図４に示すようにケース蓋３５ｂをネジ３９にて締結固定するためのものである。更に、ケース本体３５ａの外周壁の例えば４箇所には、断面Ｌ字状をなす取付腕４０を外方に突設している。この取付腕４０は、ファン装置３４を図４に示すように該取付腕４０を介して熱交換ユニット２８に例えばタッピンネジ４１にて締結固定するようにしたもので、ファンケース３５はその風の吐出口４１を上向きに取り付けられ、前記した給気ダクト２４側（図２参照）に連通接続される。
【００１９】
しかして、上記ファン装置３４の熱交換ユニット２８との具体的な固定手段につき、特には図１を参照して説明する。この図１は、前記した取付腕４０を介してタッピンネジ４１による締結部分の要部を拡大して示したもので、そのうち同図（ａ）は外観図で、同図（ｂ）は断面図を示している。まず、ファン装置３４と熱交換ユニット２８とを接続するに際し、具体的には図示するように熱交換ユニット２８側では熱交換ダクト３３の端板３３ａに対し、ファン装置３４のファンケース３５を接合した状態で取り付けることになるが、この場合、図示しないが当然ながら空気が流通する状態で接合されるため、この両者間には空気洩れを防止するためのパッキンを介在した接合構成としている。
【００２０】
そして、本実施例では熱交換ユニット２８の熱交換ダクト３３の端板３３ａには、円筒状のボス４３が水平方向に一体的に突設している。このボス４３は、金属製で前記取付腕４０に対応して設けられ、従って４箇所に設けられるとともに、中心に取付孔４３ａが形成されていて前記タッピンネジ４１を螺挿可能な径形状としている。これに対し、取付腕４０には外方に延出した腕部４４が突設され、該腕部４４には挿通孔４４ａが形成され、これを挿通する前記タッピンネジ４１の外径より遥かに径大な円形状としている。この挿通孔４４ａと同心として腕部４４から図示左方に突出した円筒状の中空筒部４５を一体に設けている。この中空筒部４５の内径Ｄ１は、前記ボス４３の外径Ｄ２より径大としており（Ｄ１＞Ｄ２）、従ってボス４３は、中空筒部４５の内方に十分な隙間を有する状態、所謂遊合状態で嵌合可能な構成としている。
【００２１】
しかるに、上記遊合状態のボス４３と中空筒部４５との嵌合部間には、図６に示す防振部材４６が介装されている。その図６（ａ）は、防振部材４６の斜視図で、同図（ｂ）は断面図を示している。まず、この防振部材４６について述べると、これはゴムや樹脂などの弾性を有する振動減衰作用を有する材質にて、全体的に円筒状に形成されている。その内方には、径が異なる段差状の穴が連続して形成されており、その図示左側には径大な嵌合部４７と、これと連通して右側には径小の挿通部４８が形成されていて、嵌合部４７は前記ボス４３と嵌合可能とし（詳細は後述する）、挿通部４８は前記タッピンネジ４１が挿通可能とする径寸法としている。
【００２２】
これに対し防振部材４６の外周面にあっては、上記嵌合部４７に対応する左半分の径大な筒状部４９には、外周面に複数の凸部５０を突設している。この凸部５０は、例えば周方向に平行間隔を置いて直線状に突設した形状としている。一方、右半分は全体に径小であるとともに、挿通部４８の外周囲にあって一部環状に凹ませたくびれ部５１を形成している。従って、この防振部材４６の外周面においても筒状部４９側とくびれ部５１側とは大略外径寸法が異なる段差状をなしている。
【００２３】
斯かる構成の防振部材４６は、図１に示すように取付腕４０とボス４３との間に介装されている。具体的な組込み手順としては、凸部５０による径大な外周面を形成する筒状部４９側が、腕部４４から突設された中空筒部４５内に弾性的に挿入され、同時にくびれ部５１が腕部４４の挿通孔４４ａに係合する位置まで挿入される。
【００２４】
このとき、くびれ部５１による腕部４４とは遊挿状態に係合する。つまり、くびれ部５１の先端は挿通孔４４ａより径大で圧挿されるが、挿入後における周面と挿通孔４４ａとは図中に示す径方向の隙間αを有する遊挿状態にあって、且つ抜け止め状態に係合される。この隙間αを有する遊挿状態は、後述するタッピンネジ４１により締結固定された状態でも維持される。一方、筒状部４９は取付腕４０の中空筒部４５内に完全に収容され、従ってその外周面の凸部５０が中空筒部４５内面に圧接した状態に収容される。
【００２５】
このように、取付腕４０に装着した防振部材４６の嵌合部４７に対し、これに対応位置関係にある４箇所においてボス４３が隙間なく嵌合せられる。この場合、前記したように熱交換ダクト３３の端板３３ａとファンケース３５との接合面には図示しないパッキンが介在され気密状態に接合される。これにより、防振部材４６を介してファン装置３４と熱交換ユニット２８が接続され、且つ循環路２９としても連通状態に接続される。
【００２６】
この状態で、タッピンネジ４１を防振部材４６の挿通部４８から挿入し、ボス４３の取付孔４３ａに締結することで上記接続状態に固定する。このタッピンネジ４１の締結時、過大な締結力となった場合には、防振部材４６の特にはくびれ部５１側を圧縮して隙間αの遊挿状態を維持できなくなるおそれがあるので、その締結力を一定化して防振部材４６を必要以上に圧縮しないようにし、常に隙間αを確保した状態にて締結固定される。
【００２７】
次に、上記構成のドラム式洗濯乾燥機の作用について説明する。
ドラム式洗濯乾燥機では、標準的な運転コースを選択設定して運転スタートした場合、周知のごとく図示しない制御装置により洗濯物を収容したドラム１６が速度制御され、洗い、すすぎ、脱水、乾燥の各行程が自動的に実行される。尚、ドラム１６の回転に伴う振動は、動的吸振系であるサスペンション２１や液体バランサ１７による振動減衰作用や負荷バランス調整が行われ、本体１１側への振動伝達は有効に抑制される。
【００２８】
しかして、ヒートポンプ機構３０が機能する乾燥行程につき説明すると、洗濯物を収容したドラム１６は低速回転せられ、またファン装置３４が駆動される。これにより、循環路２９内には図２中に示す矢印Ａ方向の循環空気が生成され、該空気は循環路２９の途中に配設されたヒートポンプ機構３０の熱交換ユニット２８を介して熱交換される。
【００２９】
すなわち、空気は凝縮器３１にて加熱され温風化されてファン装置３４（ファンケース３５）及び伸縮継手２７を経て給気ダクト２４に至り、水槽１５の吹出口２４ａから通気口２５を経てドラム１６内に供給される。この温風は、ドラム１６内の洗濯物と接触して水分を奪い、以って乾燥作用が行なわれる。乾燥に寄与した後の温風（排気風）は、多くの湿気を含んだ空気として前面側の吸込口２２ａから排気ダクト２２内に流入し、伸縮継手２６を経て熱交換ダクト３３に至る。そして、蒸発器３２にて空気が冷却され水分が凝縮されて除湿され、この除湿された空気を凝縮器３１にて再び加熱して温風として再生し、ドラム１６内に供給し乾燥作用に利用されることが繰り返し行われる。
【００３０】
ところで、熱交換ダクト３３に配した蒸発器３２及び凝縮器３１を有する熱交換ユニット２８は、本体１１底部である台板１３上に設置されている。この熱交換ユニット２８の一端にはファン装置３４が連通状態に接続され取付固定されている。そのため、送風ファン３６が回転駆動されると、その振動は熱交換ユニット２８に直ちに伝達され、騒音とともに本体１１外に生じることになる。特に、循環路２９の一部の閉空間を構成する熱交換ダクト３３にあっては振動が生じ易く伝達し易い。しかしながら、本実施例では特に図１に開示したように、ファン装置３４側の取付腕４０と熱交換ユニット２８側のボス４３との間には防振部材４６が介装されているので、振動は減衰され騒音の発生も防止できる。
【００３１】
しかも、具体的構成として腕部４４の挿通孔４４ａとくびれ部５１との抜け防止（横方向）による係合状態にあっても、径方向に常に隙間αを有することからファン装置３４の特に上下方向における重量が直接負担となることはなく、従って直接振動伝達も行われず少なくとも振動伝達は大幅に軽減される。一方、内部にボス４３と嵌合し外周面が中空筒部４５と圧接状態にある筒状部４９及び複数の凸部５０にあっては、該凸部５０がファン装置３４の自重や振動を弾性的に受け止め有効な減衰効果を発揮するばかりか、筒状部４９自体の防振作用も十分に発揮でき、振動や騒音の発生を効果的に防止する。
【００３２】
加えて、長期使用において複数の凸部５０のうち常に上部から重量負担が加わっている一部にあっては、局部的な圧迫を受けて変形し本来の弾力性が失われる動バネ硬化現象により防振作用が発揮できなくなり、その硬化部位から振動が伝達されるおそれがある。ところが、本実施例のように凸部５０の一部が動バネ硬化を生じても、それは凸部５０の一部のみに止まり筒状部４９までには波及しない。従って、振動のように周囲から伝達される傾向に対して、他の凸部５０による防振効果は依然有効に発揮でき、その上で筒状部４９自体による防振効果は何ら低下することなく有効に発揮できる。
【００３３】
上記実施例によれば、次のような効果を奏する。
循環路２９の途中に介在された熱交換ユニット２８と循環送風用のファン装置３４との接続部間において、防振部材４６を介装して接続固定したので、送風ファン３６の回転振動等が熱交換ユニット２８側に伝達されることがなく、本体１１外への騒音の発生も有効に防止できる。
【００３４】
しかも、従来の防振部材では長期に亘る重量負荷による圧迫を受けて動バネ硬化が生じ、本来の防振機能が失われるおそれがあったが、本実施例の防振部材４６では筒状部４９の外周面に突設した複数の凸部５０にて、ファン装置３４の重量負荷を弾力的に支持するようにしたので、長期使用による動バネ硬化が生じても凸部５０の一部に止まり、よって接触面積も極めて小さく、その内周側の筒状部４９まで硬化するおそれはない。また、他の凸部５０による振動減衰効果は有効であるとともに、当然防振部材４６全体における振動減衰効果も期待できるなど、長期に亘り振動伝達の防止に有効で騒音の発生防止にも有効である。従って、ファン装置３４側から発生した振動は熱交換ユニット２８側には伝達されず、設置した台板１３を通じて本体１１への振動伝達や、騒音が外部に発生することはない。
【００３５】
また、本実施例では防振部材４６の抜け止めに有効なくびれ部５１を設け、ファンケース３５への組込み作業や、ボス４３へのタッピンネジ４１による締結作業を容易にしているが、そのくびれ部５１の周面は相手側（腕部４４）と隙間αを有する状態にて、抜け方向たる横方向に対して係合するようにしているので、該くびれ部５１には上部からの重量負荷による影響もない。従って、くびれ部５１に動バネ硬化を生ずることもなく、且つ隙間αにより振動伝達も有効に回避できる。
【００３６】
上記実施例に対し、図７ないし図９は第２ないし第３の実施形態を示すもので、以下、上記実施例と実質的に同一部分には同一符号を付して説明を省略し、異なる部分につき説明する。
【００３７】
（第２の実施形態）
まず、図７は本発明の第２実施例を示すもので、同図は図１相当図である。このものは、防振部材４６の内部に筒状のカラー５２を挿入し、該カラー５２を通してタッピンネジ４１を挿通した構成としたもので、上記カラー５２を採用した構成以外は、上記実施例と実質的に共通とするものである。
すなわち、カラー５２は剛性を有する円筒状をなし、防振部材４６の挿通部４８の内周面と略同等の外径寸法をなし、且つタッピンネジ４１が挿通可能な内径寸法をなすとともに、挿通部４８の長さ寸法より僅か短い形状としている。
【００３８】
従って、本実施例における組込み手順としては、防振部材４６をファンケース３５の取付腕４０に弾性的に装着した後に、その挿通部４８内に当該カラー５２を挿入するようにすればよく、その余の作業は上記実施例と共通である。このことは、例えばカラー５２を先に挿入した防振部材４６にあっては、該カラー５２がくびれ部５１の柔軟性を妨げるため、腕部４４の挿通孔４４ａに弾性的に挿入し係合保持させることができなくなることから理解できる。
【００３９】
しかるに、挿入されたカラー５２は、図７（ｂ）に明示するように内端部がボス４３で衝止されるため、挿通部４８に対しカラー５２の長さが僅かに短くなる（図中寸法Ｓで示す）。換言すれば、カラー５２より防振部材４６の右端部が僅か突出した状態にある。このため、最終的にタッピンネジ４１が挿入されボス４３に螺着されるとき、該寸法Ｓ相当が防振部材４６の一定の締め代となる。従って、例えば締め過ぎて防振部材４６を所定以上に圧迫して緊張状態に硬化させ振動減衰効果が減少するなどのおそれがない。
【００４０】
斯かる構成によれば、上記実施例における効果に加えて、防振部材４６にカラー５２を挿入したことにより、タッピンネジ４１による防振部材４６の締め代を一定化でき、その防振機能を安定して発揮でき品質の信頼性が増すとともに、タッピンネジ４１の締結作業も容易に行える利点を有する。
【００４１】
（第３の実施形態）
図８，図９は、第３実施例を示すもので、夫々図１，図６相当図である。
このものは、上記第２実施例におけるカラー５２に加えて、鍔部５３を有する防振部材５４としたもので、その余の構成は上記実施例と共通である。しかして、特に図９に明示するように、本実施例における防振部材５４は、径大な嵌合部４７側の左端部外周に外方に延びる円盤状の鍔部５３を一体に形成したものである。
従って、図８に示す組込まれた形態から明らかなように、外端部に形成された鍔部５３は他の部材との組立調整を要しない組込み構成であるため、上記第２実施例と同じ組込み手順でファン装置３４を熱交換ユニット２８に接続固定できる。
【００４２】
ところで、この鍔部５３を有しない上記実施例の防振部材４６において、取付腕４０に該防振部材４６を装着した後に、その嵌合部４７にボス４３が隙間なく嵌合する組込み手順としていることは上記した通りである。しかるに、防振部材４６がゴムなどの材質に対しボス４３との滑り抵抗が大きいことも相俟って、ボス４３の挿入に伴い、その入口側である防振部材４６の左端部（筒状部４９）が巻き込まれる現象が生じた。これは、当然ながら左端部側の筒状部４９及び突部５０の材質が柔軟で摩擦力も大きいこと、及び筒状部４９の肉厚が比較的薄くて巻き込まれ易いなどの背景事情も影響している。
【００４３】
そこで、本実施例の防振部材５４では、この筒状部４９の左端部に外方に延びる円盤状の鍔部５３を一体に形成した。しかして、ボス４３の挿入と共に筒状部４９を引っ張り込む左端部の巻き込む作用に対し、筒状部４９とは略直角方向に延び円盤状をなす鍔部５３によれば、ボス４３との摩擦力で筒状部４９と共に巻き込まれることを阻止するに十分な抵抗作用を得ることができる。この結果、図８（ｂ）に示すように中空筒部４５（内径Ｄ１）とボス４３（外径Ｄ２）との間に、所期の筒状部４９と凸部５０が適正な状態で介装され、所期の防振効果が期待できるとともに、巻き込まれるおそれなく組込むことができ作業性も向上し品質も安定するなどの利点を有する。
【００４４】
尚、本発明は上記し且つ図面に示した実施例に限定されることなく、例えば防振部材の外周面に突設した凸部は、直線状に代えて螺旋状としたり、或は線状に代えて点状に突設した形状としてもよい。また、タッピンネジに限らず一般的なネジやボルトなどを含む所謂取付ネジであればよい。その他、回転槽は横軸周りのドラム構成に限らず、縦軸周りの洗濯兼脱水槽を備えた洗濯乾燥機でも採用できることはもとより、循環路の具体構成や循環空気の流れ方向など、実施に際して本発明の要旨を逸脱しない範囲で具体的に種々変更して実施できるものである。
【図面の簡単な説明】
【００４５】
【図１】本発明をドラム式洗濯乾燥機に適用した第１実施例の要部を拡大して示す、（ａ）外観図、及び（ｂ）同断面図
【図２】洗濯乾燥機の全体構成を示す縦断側面図
【図３】裏蓋を外した分解斜視図
【図４】ファン装置の平面図
【図５】ファン装置のケース蓋を外した状態の正面図
【図６】防振部材の、（ａ）外観斜視図、及び（ｂ）断面図
【図７】第２実施例を示す図１相当図
【図８】第３実施例を示す図１相当図
【図９】図６相当図
【図１０】従来例を示す要部の断面図
【符号の説明】
【００４６】
図面中、１１は本体、１５は水槽、１６はドラム（回転槽）、２８は熱交換ユニット、２９は循環路、３０はヒートポンプ機構、３１は凝縮器、３２は蒸発器、３３は熱交換ダクト、３４はファン装置、３５はファンケース、３５ａはケース本体、３５ｂはケース蓋、３６は送風ファン、４０は取付腕、４１はタッピンネジ（取付ネジ）、４３はボス、４４は腕部、４６，５４は防振部材、４９は筒状部、５０は凸部、５１はくびれ部、５２はカラー、及び５３は鍔部を示す。
【図１】
2008000194.tif 000003
【図２】
2008000194.tif 000004
【図３】
2008000194.tif 000005
【図４】
2008000194.tif 000006
【図５】
2008000194.tif 000007
【図６】
2008000194.tif 000008
【図７】
2008000194.tif 000009
【図８】
2008000194.tif 000010
【図９】
2008000194.tif 000011
【図１０】
2008000194.tif 000012